(57)【要約】【課題】メモリカード式の記録部を有するカメラアダプタの回路基板に実装された発熱を伴う電子部品からの熱を効率良く放熱させるためのビデオカメラの放熱構造を提供する。【解決手段】内部構造体２４のメイン基板２４ａに実装された電子部品２４ａａから発生する熱は、伝熱板２４ｃと伝熱ブロック２４ｄを介して筐体２１の傾斜部２１ｅに伝わり、更に、複数のフィンを備えた放熱構造部２１ｆを通して筐体２１の外部に放熱される。また、ビデオカメラ１の操作者が、熱くなった放熱構造部２１ｆに手で直接触れないようカバー３０が設けられている。【選択図】  図２
2011223320.tif 000002
【特許請求の範囲】
【請求項１】
カメラヘッドにメモリカード式の記録部を有するカメラアダプタが接続されるドッカブルタイプのビデオカメラであって、前記カメラアダプタの回路基板に実装された発熱を伴う電子部品からの熱を外部に放熱するビデオカメラの放熱構造において、
前記カメラアダプタは、金属製の筐体と、メモリカード式の記録部と前記記録部を制御する回路基板を備えた内部構造体とを有し、また、前記内部構造体は、更に、前記回路基板に実装された発熱を伴う電子部品に接触するよう配置した伝熱板と、当該伝熱板の一部を上部で挟み込むように取り付けられた伝熱ブロックとを備え、前記回路基板に実装された電子部品から発生する熱を前記伝熱板と前記伝熱ブロックを介して前記筐体上部に熱伝導させ、更に、前記筐体外部に形成された複数のフィンを有する放熱構造体を通して前記筐体外部に放熱させることを特徴とするビデオカメラの放熱構造。
【発明の詳細な説明】
【技術分野】
【０００１】
本発明は、カメラヘッドを有し、そのカメラヘッドにメモリカード式の記録部を備えたカメラアダプタ、若しくは、映像信号ケーブルからの映像信号や連絡信号、各種制御信号などの送出のための送受信アタッチメントを交換可能に接続することが可能なドッカブルタイプのビデオカメラに関し、特に、カメラアダプタ内部の放熱構造に関するものである。
【背景技術】
【０００２】
従来技術によるドッカブルタイプのビデオカメラでは、特許文献１のように、カメラヘッドに対して、ビデオ・テープ・レコーダ（ＶＴＲ）、若しくは、映像信号ケーブルからの映像信号や連絡信号、各種制御信号などの送出のための送受信アタッチメントを交換可能に接続できるようになっている。
【先行技術文献】
【特許文献】
【０００３】
【特許文献１】特開２００９−９４９３２号公報
【発明の概要】
【発明が解決しようとする課題】
【０００４】
従来のドッカブルタイプのビデオカメラは、図４及び図５のようになっている。図４は、従来のドッカブルタイプのビデオカメラ１００の背面斜視図であり、図５は、従来の送受信アタッチメント１２０の構造を示す図である。
図４のドッカブルタイプのビデオカメラ１００は、カメラヘッド１１０に送受信アタッチメント１２０を接続した構成となっている。また、送受信アタッチメント１２０は、図５に示すように、筐体１２１内の右側にメイン基板１２２、左側に複数のサブ基板１２３が配置され、左側板１２４と右側板１２５で筐体１２１の左右側面の穴部を塞ぐ構造になっている。
【０００５】
また、複数のサブ基板１２３は、左方向から挿入し、それぞれメイン基板１２２にコネクタ接続させる構造となっている。そこで、基板に実装する発熱を伴う電子部品（例えば、電子部品１２６）は、なるべくメイン基板１２２に集中させることにより、熱伝導部材１２７を介してアルミニウム等の金属製の右側板１２５に放熱させるようになっている。
【０００６】
しかし、最近では、撮影したデジタル映像データをそのまま外部に伝送したり、デジタル映像データを直接メモリカード等に記録するようなビデオカメラも出てきた。そこで、ドッカブルタイプのビデオカメラにおいても、カメラヘッド１１０に対して、メモリカード式の記録部を備えたカメラアダプタが接続されるような場合も出てきている。
しかし、メモリカード式の記録部を備えたカメラアダプタの場合、メモリカードの挿入口をカメラアダプタの筐体右側側面に設ける必要があることから、上記の放熱構造を採用することができないという問題が出てきた。
【０００７】
本発明は、このような従来の事情に鑑みなされたものであり、メモリカード式の記録部を有するカメラアダプタの回路基板に実装された発熱を伴う電子部品からの熱を効率良く放熱させるためのビデオカメラの放熱構造を提供することを目的とする。
【課題を解決するための手段】
【０００８】
上述した課題を解決し、目的を達成するため、本発明の請求項１に係る発明は、カメラヘッドにメモリカード式の記録部を有するカメラアダプタが接続されるドッカブルタイプのビデオカメラであって、前記カメラアダプタの回路基板に実装された発熱を伴う電子部品からの熱を外部に放熱するビデオカメラの放熱構造において、
前記カメラアダプタは、金属製の筐体と、メモリカード式の記録部と前記記録部を制御する回路基板を備えた内部構造体とを有し、また、前記内部構造体は、更に、前記回路基板に実装された発熱を伴う電子部品に接触するよう配置した伝熱板と、当該伝熱板の一部を上部で挟み込むように取り付けられた伝熱ブロックとを備え、前記回路基板に実装された電子部品から発生する熱を前記伝熱板と前記伝熱ブロックを介して前記筐体上部に熱伝導させ、更に、前記筐体外部に形成された複数のフィンを有する放熱構造体を通して前記筐体外部に放熱させることを特徴とする。
【発明の効果】
【０００９】
本発明によれば、各回路基板をひとつの構造体（ユニット）の中に収容する構成とすることで、各回路基板に実装された発熱を伴う電子部品から発生する熱を熱伝導させる構造の簡素化が図れ、また、放熱構造体をアダプタ上部に配置することで、各発熱部品から伝熱させる距離を短くすることができ、効率良く放熱することができるという効果がある。
【図面の簡単な説明】
【００１０】
【図１】本発明の一実施形態の放熱構造を採用したビデオカメラの背面斜視図であり、（ａ）は背面左側斜視図、（ｂ）は背面右側斜視図である。
【図２】本発明の一実施形態の放熱構造を採用したカメラアダプタの内部構造を示す左側上方から見た背面斜視図である。
【図３】本発明の一実施形態の放熱構造を採用したカメラアダプタの内部構造を示す左側下方から見た背面斜視図である。
【図４】従来のドッカブルタイプのビデオカメラの背面斜視図である。
【図５】従来の送受信アタッチメント１２０の構造を示す図であり、（ａ）は左斜め後方からの斜視図であり、（ｂ）は右斜め後方からの斜視図である。
【発明を実施するための形態】
【００１１】
以下に、本発明の一実施形態のビデオカメラの放熱構造について、図１、図２、及び図３を参照しながら説明する。
図１は、本発明の一実施形態の放熱構造を採用したビデオカメラの背面斜視図であり、（ａ）は背面左側斜視図、（ｂ）は背面右側斜視図である。また、図２は、本発明の一実施形態の放熱構造を採用したカメラアダプタの内部構造を示す左側上方から見た背面斜視図であり、図３は、本発明の一実施形態の放熱構造を採用したカメラアダプタの内部構造を示す左側下方から見た背面斜視図である。
【００１２】
図１に示すように、本発明のビデオカメラ１は、カメラヘッド１０にメモリカード式の記録部を有するカメラアダプタ２０を接続したドッカブルタイプのビデオカメラである。また、カメラアダプタ２０は、図２および図３に示すように、筐体２１と、筐体２１の上部に取り付けられ、周囲の音声を無線で受信するワイヤレスマイクユニット２２と、筐体２１の背面に取り付けられ、バッテリー（図示せず）を装着するためのバッテリー用ベース２３と、挿入するメモリカード（図示せず）に映像データや音声データを記録する記録部と、当該記録部を制御するためのメイン基板２４ａやサブ基板２４ｂを備え、ひとつのユニットを形成する内部構造体２４と、筐体２１の左側面開口部に取り付けられる左側板２５と、筐体２１の右側面開口部に取り付けられ、メモリカード挿入用の扉２６ａを備えた右側板２６とで構成される。
【００１３】
また、内部構造体２４は、メイン基板２４ａに実装された電子部品２４ａａから発生する熱を筐体２１に熱伝導させるための伝熱板２４ｃと伝熱ブロック２４ｄを備えており、図２では、メイン基板２４ａと伝熱板２４ｃとを内部構造体２４から別途抜き出して、形状がわかるよう矢印で示している。また、メイン基板２４ａの発熱を伴う電子部品２４ａａの表面全体に接するように伝熱板２４ｃを配置し、伝熱板２４ｃの折り曲げ部２４ｃｃが伝熱ブロック２４ｄの下に挟み込まれるように取り付けられる。
【００１４】
次に、本発明の一実施形態の放熱構造を採用したビデオカメラのカメラアダプタ２０の組み立て方法について図１、図２及び図３を用いて説明する。
図２、図３に示すように、内部構造体２４は、左方向から筐体２１内に挿入し、筐体２１に設けたねじ孔部２１ａ、２１ｂ、２１ｃ、２１ｄに、内部構造体２４の取り付け部２４ｅ、２４ｆ、２４ｇ、２４ｈの位置を合わせた後、ネジで固定を行う。
また、図２に示すように、伝熱ブロック２４ｄは、上面に右方向傾斜面を有しており、内部構造体２４を筐体２１内に挿入して固定する際に、当該傾斜面が筐体２１内の天面に設けた傾斜部２１ｅと面接触する構造となっている。
なお、筐体２１の傾斜部２１ｅと相対する外面には、複数のフィンを有する放熱構造部２１ｆが形成されており、また、放熱構造部２１ｆを覆うように、カバー３０が筐体２１の上部にネジ止め固定される。
【００１５】
また、左側板２５は、左側板２５に設けた取り付け穴２５ａ、２５ｂ，２５ｃ，２５ｄを筐体２１のねじ孔部２１ｇ、２１ｈ、２１ｊ、２１ｋにそれぞれ位置を合わせた後、ネジ止め固定する。
同様に、右側板２６も周囲に設けた４箇所の取り付け穴を使い、筐体２１の右側面開口部周囲に設けた４箇所のねじ孔部にネジ止め固定する。
【００１６】
従って、内部構造体２４のメイン基板２４ａに実装された電子部品２４ａａから発生する熱は、伝熱板２４ｃと伝熱ブロック２４ｄを介して筐体２１の傾斜部２１ｅに伝わり、更に、複数のフィンを備えた放熱構造部２１ｆを通して筐体２１の外部に放熱される。
また、ビデオカメラ１の操作者が、熱くなった放熱構造部２１ｆに手で直接触れないようカバー３０が設けられている。
【００１７】
以上説明したように、本発明により、各回路基板をひとつの構造体（ユニット）の中に収容する構成とすることで、各回路基板に実装された発熱を伴う電子部品から発生する熱を熱伝導させる構造の簡素化が図れ、また、放熱構造体をアダプタ上部に配置することで、各発熱部品から伝熱させる距離を短くすることができ、効率良く放熱することができる。
【符号の説明】
【００１８】
１：ビデオカメラ、１０：カメラヘッド、２０：カメラアダプタ、２１：筐体、２１ａ，２１ｂ，２１ｃ，２１ｄ：ねじ孔部、２１ｅ：傾斜部、２１ｆ：放熱構造部、２１ｇ，２１ｈ，２１ｊ，２１ｋ：ねじ孔部、２２：ワイヤレスマイクユニット、２３：バッテリー用ベース、２４：内部構造体、２４ａ：メイン基板、２４ａａ：電子部品、２４ｂ：サブ基板、２４ｃ：伝熱板、２４ｃｃ：折り曲げ部、２４ｄ：伝熱ブロック、２４ｅ，２４ｆ，２４ｇ，２４ｈ：取り付け部、２５：左側板、２５ａ，２５ｂ，２５ｃ，２５ｄ：取り付け穴、２６：右側板、２６ａ：扉、３０：カバー、１００：ビデオカメラ、１１０：カメラヘッド、１２０：送受信アタッチメント、１２１：筐体、１２２：メイン基板、１２３：サブ基板、１２４：左側板、１２５：右側板、１２６：電子部品、１２７：熱伝導部材。
【図１】
2011223320.tif 000003
【図２】
2011223320.tif 000004
【図３】
2011223320.tif 000005
【図４】
2011223320.tif 000006
【図５】
2011223320.tif 000007